(57)【要約】【課題】  画素電源の電圧降下等、電源電圧の変動が発生しても常に最適なプリチャージ電圧を供給し得るプリチャージ電圧生成方法を提供する。【解決手段】  ＯＬＥＤ素子２２０とこのＯＬＥＤ素子の発光階調を調整するための回路とをそれぞれ含む複数の画素回路がマトリクス状に配設されるとともに、各ＯＬＥＤ素子２２０の発光の階調に応じたデータ信号が複数のデータ線Ｘｍを介して前記各画素回路２１０に供給され、さらに前記各データ信号の書き込みに際し前記各データ線Ｘｍが所定のプリチャージ電圧Ｖｐで充電されるように構成したアクティブマトリクス駆動型の電気光学装置におけるプリチャージ電圧生成方法であって、前記画素回路２１０を構成するトランジスタを駆動する画素電源の画素電源電圧Ｖｅｌを参照して所定の適切なプリチャージ電圧Ｖｐｒに前記プリチャージ電圧Ｖｐを調整する。【選択図】  図１
2007047633.tif 000002
【特許請求の範囲】
【請求項１】
発光素子とこの発光素子の発光階調を調整するための回路とをそれぞれ含む複数の画素回路がマトリクス状に配設されるとともに、各発光素子の発光の階調に応じたデータ信号が複数のデータ線を介して前記各画素回路に供給され、さらに前記各データ信号の書き込みに際し前記各データ線が所定のプリチャージ電圧で充電されるように構成したアクティブマトリクス駆動型の電気光学装置におけるプリチャージ電圧生成方法であって、
前記画素回路を構成する素子を駆動する画素電源電圧を参照して所定のプリチャージ電圧に前記プリチャージ電圧を調整することを特徴とするプリチャージ電圧生成方法。
【請求項２】
アクティブマトリクス駆動法によって駆動される電気光学装置であって、
発光素子とこの発光素子の発光の階調を調節するための回路とをそれぞれ含む複数の画素回路がマトリクス状に配列された表示マトリクス部と、
前記表示マトリクス部の行方向に沿って配列された画素回路群にそれぞれ接続された複数の走査線と、
前記表示マトリクス部の列方向に沿って配列された画素回路群にそれぞれ接続された複数のデータ線と、
前記複数の走査線に接続され、前記表示マトリクス部の１つの行を選択するための走査線駆動回路と、
前記発光素子の発光の階調に応じたデータ信号を生成して、前記複数のデータ線のうちの少なくとも１つのデータ線上に出力するデータ信号生成回路と、
前記走査線駆動回路によって選択された行に存在する少なくとも１つの画素回路に前記データ線を介して前記データ信号が供給される際に、前記データ線の充電を行うプリチャージ電源と、
前記画素回路を構成する素子を駆動する画素電源電圧を参照して所定のプリチャージ電圧に前記プリチャージ電圧を調整するレギュレータとを有することを特徴とする電気光学装置。
【請求項３】
請求項２において、
前記レギュレータは、プリチャージ電源とデータ線との間に介在され、前記画素電源電圧とプリチャージ電圧とを比較し、両者の差が所定の値になるように調整するものであることを特徴とする電気光学装置。
【請求項４】
請求項２又は請求項３において、
前記レギュレータは、抵抗分割した前記画素電源電圧と、同じく抵抗分割した前記プリチャージ電圧とをコンパレータで比較し、この比較結果に基づき両者の差が所定の値になるように調整するものであることを特徴とする電気光学装置。
【請求項５】
請求項２乃至請求項４の何れか一つにおいて、
前記レギュレータにおけるプリチャージ電圧の調整は、プリチャージ電源とデータ線との間に介在させたトランジスタを制御して行うようにしたことを特徴とする電気光学装置。
【請求項６】
請求項２乃至請求項５の何れか一つにおいて、
前記レギュレータは、前記画素回路が有する素子であるトランジスタと同特性のトランジスタをダイオード接続し、このようにダイオード接続した前記トランジスタで降下させた前記画素電源電圧を参照するようにしたことを特徴とする電気光学装置。
【請求項７】
請求項２乃至請求項６の何れか一つにおいて、
前記画素電源電圧を供給する画素電源は、前記発光素子の複数の発光色毎に独立して構成してあり、
前記レギュレータは、各発光色に対応させて設けるとともに、前記各画素電源の画素電源電圧をそれぞれ参照して所定のプリチャージ電圧にそれぞれ調整するようにしたものであることを特徴とする電気光学装置。
【請求項８】
画像を表示する表示手段として請求項２乃至請求項７の何れか一つに記載する電気光学装置を備えたことを特徴とする電子機器。
【発明の詳細な説明】
【技術分野】
【０００１】
本発明はプリチャージ電圧生成方法、電気光学装置及び電子機器に関し、特にＯＬＥＤ素子等の発光素子の発光階調データを読み込む際に、データ線をプリチャージ電圧で予め充電するプリチャージ方式を採用する場合に適用して有用なものである。
【背景技術】
【０００２】
液晶表示装置に代わる電気光学装置として、有機発光ダイオード素子（以下、ＯＬＥＤ素子と称する。）を備えた装置が注目されている。ＯＬＥＤ（Organic Light Emitting Diode）素子は、電気的にはダイオードのように動作し、光学的には、順バイアス時に発光して順バイアス電流の増加にともなって発光輝度が増加する電流駆動素子である。
【０００３】
ＯＬＥＤ素子をマトリクス状に配列した表示部を有する電気光学装置は、図１３に示すように、コントローラ１００と、表示マトリクス部２００（「画素領域」とも呼ぶ。）と、ゲートドライバ３００と、データ線ドライバ４００とを有している。コントローラ１００は、表示マトリクス部２００に表示を行わせるためのゲート線駆動信号とデータ線駆動信号を生成して、ゲートドライバ３００とデータ線ドライバ４００にそれぞれ供給する。
【０００４】
図１４は、上記表示マトリクス部２００とデータ線ドライバ４００の内部構成を示している。同図に示すように、表示マトリクス部２００は、マトリクス状に配列された複数の画素回路２１０を有しており、各画素回路２１０はＯＬＥＤ素子２２０をそれぞれ有している。画素回路２１０のマトリクスには、その列方向に沿って伸びる複数のデータ線Ｘｍ（ｍ＝１〜Ｍ）と、行方向に沿って伸びる複数のゲート線Ｙｎ（ｎ＝１〜Ｎ）とがそれぞれ接続されている。ここで、前記画素回路２１０内のトランジスタは、通常はＴＦＴで構成される。
【０００５】
ゲートドライバ３００は、複数のゲート線Ｙｎの中の１本を選択的に駆動して１行分の画素回路群を選択する。データ線ドライバ４００は、各データ線Ｘｍをそれぞれ駆動するための複数の単一ラインドライバ４１０を有している。これらの単一ラインドライバ４１０は、各データ線Ｘｍを介して画素回路２１０にデータ信号を供給する。このデータ信号に応じて画素回路２１０の内部状態が設定されると、これに応じてＯＬＥＤ素子２２０に流れる電流値が制御され、この結果ＯＬＥＤ素子２２０の発光の階調が制御される。
【０００６】
画素領域２００の表示状態を表す表示データ（画像データ）は、前記コントローラ１００（図１３参照。）で各ＯＬＥＤ素子２２０の発光の階調を表すマトリクスデータに変換される。マトリクスデータは、１行分の画素回路群を順次選択するためのゲート線駆動信号と、選択された画素回路群のＯＬＥＤ素子２２０に供給するデータ線信号のレベルを示すデータ線駆動信号とを含んでいる。ゲート線駆動信号とデータ線駆動信号は、ゲートドライバ３００とデータ線ドライバ４００にそれぞれ供給される。ここで前記コントローラ１００は、ゲート線とデータ線の駆動タイミングのタイミング制御も行う。
【０００７】
以上が従来技術に係る電気光学装置の基本的な構成であるが、この種の電気光学装置の中には、前記各データ線Ｘｍ（ｍ＝１〜Ｍ）に対応してプリチャージ回路６００を設けたものもある。プリチャージ回路６００は、定電圧源の出力電圧であるプリチャージ電圧Ｖｐと、スイッチングトランジスタ６１０との直列接続で構成されている。図１４では、スイッチングトランジスタ６１０がｎチャンネル型ＦＥＴの場合であり、そのソースがデータ線Ｘｍに接続されている。各スイッチングトランジスタ６１０のゲートには、前記コントローラ１００（図１３）からプリチャージ制御信号Ｐｒｅが共通に入力されている。
【０００８】
かかるプリチャージ回路６００は、選択された画素回路群のＯＬＥＤ素子２２０に供給するデータ線信号のレベルを示すデータ線駆動信号のプログラミングの完了前に各データ線Ｘｍの充電を行って、プログラミングに要する時間を短縮するための回路である。換言すれば、プリチャージ回路６００は、データ線Ｘｍの充電を加速するための充電加速部として機能する。
【０００９】
なお、上記プリチャージ回路を有する電気光学装置を開示する公知文献として次の特許文献を挙げることができる。
【００１０】
【特許文献１】特開２００５−１２２２０５号公報
【発明の開示】
【発明が解決しようとする課題】
【００１１】
上記プリチャージ回路６００におけるプリチャージ電圧Ｖｐは、各画素回路２１０を構成するトランジスタ等、各素子を駆動する画素電源の画素電源電圧Ｖｅｌとの関係で設定され、次のような関係が成立する場合が最適値であるとされている。
【００１２】
Ｖｐ＝（Ｖｅｌ）＋（Ｖｔｈ）
ここで、Ｖｔｈは画素回路２１０のトランジスタ（ＴＦＴ）の閾値電圧である。
【００１３】
ところが、画素電源電圧Ｖｅｌは、例えば全白画面表示といった電流を多く消費する場合は特に、各画素回路２１０までの配線抵抗により電圧降下を生起する。すなわち、ＯＬＥＤ素子２２０を発光素子とする画素回路２１０の集合体である表示マトリクス部２００を有する電気光学装置の場合、発光画面の面積や発光強度により消費電流が大きく変化し、これに伴い画素電源電圧Ｖｅｌが変化することにより最適なプリチャージ電圧Ｖｐも変化してしまう。
【００１４】
プリチャージ電圧が最適なプリチャージ電圧Ｖｐからずれると、再生画像が全体的に白く浮く又は黒く沈むという現象を生起する。
【００１５】
本発明は、上記従来技術に鑑み、画素電源の電圧降下等、電源電圧の変動が発生しても常に最適なプリチャージ電圧を供給し得るプリチャージ電圧生成方法、電気光学装置及び電子機器を提供することを目的とする。
【課題を解決するための手段】
【００１６】
上記目的を達成する本発明の第１の態様は、
発光素子とこの発光素子の発光階調を調整するための回路とをそれぞれ含む複数の画素回路がマトリクス状に配設されるとともに、各発光素子の発光の階調に応じたデータ信号が複数のデータ線を介して前記各画素回路に供給され、さらに前記各データ信号の書き込みに際し前記各データ線が所定のプリチャージ電圧で充電されるように構成したアクティブマトリクス駆動型の電気光学装置におけるプリチャージ電圧生成方法であって、
前記画素回路を構成する素子を駆動する画素電源電圧を参照して所定のプリチャージ電圧に前記プリチャージ電圧を調整することを特徴とするプリチャージ電圧生成方法にある。
本態様によれば、画素回路における消費電流の変化により画素電源電圧が変動してもそれに追従して最適なプリチャージ電圧を生成することができる。この結果、再生画像が全体的に白く浮く又は黒く沈むという現象を生起することなく、その画質の向上を計ることができる。
【００１７】
本発明の第２の態様は、
アクティブマトリクス駆動法によって駆動される電気光学装置であって、
発光素子とこの発光素子の発光の階調を調節するための回路とをそれぞれ含む複数の画素回路がマトリクス状に配列された表示マトリクス部と、
前記表示マトリクス部の行方向に沿って配列された画素回路群にそれぞれ接続された複数の走査線と、
前記表示マトリクス部の列方向に沿って配列された画素回路群にそれぞれ接続された複数のデータ線と、
前記複数の走査線に接続され、前記表示マトリクス部の１つの行を選択するための走査線駆動回路と、
前記発光素子の発光の階調に応じたデータ信号を生成して、前記複数のデータ線のうちの少なくとも１つのデータ線上に出力するデータ信号生成回路と、
前記走査線駆動回路によって選択された行に存在する少なくとも１つの画素回路に前記データ線を介して前記データ信号が供給される際に、前記データ線の充電を行うプリチャージ電源と、
前記画素回路を構成する素子を駆動する画素電源電圧を参照して所定のプリチャージ電圧に前記プリチャージ電圧を調整するレギュレータとを有することを特徴とする電気光学装置にある。
本態様によれば、画素回路における消費電流の変化により画素電源電圧が変動してもそれに追従してレギュレータがプリチャージ電圧を所定の最適なプリチャージ電圧に調整する結果、再生画像が全体的に白く浮く又は黒く沈むという現象を生起することなく、その画質の向上を計ることができる。
【００１８】
本発明の第３の態様は、
上記第２の態様において、
前記レギュレータは、プリチャージ電源とデータ線との間に介在され、前記画素電源電圧とプリチャージ電圧とを比較し、両者の差が所定の値になるように調整するものであることを特徴とする電気光学装置にある。
本態様によれば、前記画素電源電圧とプリチャージ電圧との差を媒介としてプリチャージ電圧を調整することができる。
【００１９】
本発明の第４の態様は、
上記第２又は第３の態様において、
前記レギュレータは、抵抗分割した前記画素電源電圧と、同じく抵抗分割した前記プリチャージ電圧とをコンパレータで比較し、この比較結果に基づき両者の差が所定の値になるように調整するものであることを特徴とする電気光学装置である。
本態様によれば、簡単な回路構成で前記画素電源電圧とプリチャージ電圧との差を把握することができる。したがって、この差を媒介とするプリチャージ電圧の調整もその分簡単な構成で実現できる。
【００２０】
本発明の第５の態様は、
上記第２の態様乃至第４の態様の何れか一つにおいて、
前記レギュレータにおけるプリチャージ電圧の調整は、プリチャージ電源とデータ線との間に介在させたトランジスタを制御して行うようにしたことを特徴とする電気光学装置にある。
本態様によれば、プリチャージ電圧の調整をトランジスタを介して行っているので、前記画素電源電圧とプリチャージ電圧との差に基づくプリチャージ電圧の調整を容易且つ正確に行うことができる。
【００２１】
本発明の第６の態様は、
上記第２乃至第５の態様の何れか一つにおいて、
前記レギュレータは、前記画素回路が有する素子であるトランジスタと同特性のトランジスタをダイオード接続し、このようにダイオード接続した前記トランジスタで降下させた前記画素電源電圧を参照するようにしたことを特徴とする電気光学装置にある。
本態様によれば参照する画素電源電圧が画素回路のトランジスタの特性を反映したものとなっているので、最も正確に最適プリチャージ電圧を得ることができる。
【００２２】
本発明の第７の態様は、
上記第２乃至第６の態様の何れか一つにおいて、
前記画素電源電圧を供給する画素電源は、前記発光素子の複数の発光色毎に独立して構成してあり、
前記レギュレータは、各発光色に対応させて設けるとともに、前記各画素電源の画素電源電圧をそれぞれ参照して所定のプリチャージ電圧にそれぞれ調整するようにしたものであることを特徴とする電気光学装置にある。
本態様によれば、画素電源が複数の発光色毎に独立して構成されている場合であっても、色毎に独立に最適なプリチャージ電圧に調整することができる。この結果、良好な画像の再生を実現し得る。
【００２３】
本発明の第８の態様は、
画像を表示する表示手段として請求項２乃至請求項７の何れか一つに記載する電気光学装置を備えたことを特徴とする電子機器にある。
本態様によれば、画素回路における消費電流の変化により画素電源電圧が変動してもそれに追従して最適なプリチャージ電圧を生成することができ、再生画像が全体的に白く浮く又は黒く沈むという現象を生起することなく、その画質の向上を計ることができる表示部を備えた電子機器とすることができる。かかる、電子機器としては、パーソナルコンピュータ、携帯電話機、携帯情報端末、モニタ、デジタルカメラ、ビューファインダ等がある。
【発明を実施するための最良の形態】
【００２４】
以下本発明の実施の形態を図面に基づき詳細に説明する。なお、本実施の形態の説明は例示であり、本発明の構成は以下の説明に限定されない。
図１は本形態に係る電気光学装置の概略構成を示すブロック図である。この電気光学装置は、図１４に示す従来技術に係る電気光学装置に対しプリチャージ回路７００の構成を改良したものである。そこで、このプリチャージ回路７００の構成を中心に説明し、図１４と同一部分には同一番号を付し、重複する説明は省略する。
【００２５】
図１に示すように、本形態に係る各プリチャージ回路７００はレギュレータ７１０を有する。このレギュレータ７１０は、画素回路２１０を構成する素子を駆動する画素電源の画素電源電圧Ｖｅｌを参照して所定の最適値（Ｖｐｒ＝Ｖｅｌ＋Ｖｔｈ）に前記プリチャージ電圧Ｖｐを調整するものである。
【００２６】
ところで、前記画素回路２１０の駆動方式は２種類が知られている。いわゆる電流プログラム方式と電圧プログラム方式である。プリチャージ電圧Ｖｐを最適化することは、電流プログラム方式で駆動する場合でも、電圧プログラム方式で駆動する場合でも同様の理由で必要である。
【００２７】
図２は電流プログラム方式の回路図を示し、１本のデータ線Ｘｍに関し１個の画素回路２１０を抽出して本形態に係るプリチャージ回路７００とともに示している。また、図３はその動作を説明するための各部の波形図である。両図に基づき当該回路の動作を簡単に説明しておく。
【００２８】
１）Ｐｒｅでスイッチングトランジスタ６１０をＯＮしてレギュレータ７１０で調整したプリチャージ電圧Ｖｐｒをデータ線Ｘｍに印加する。
２）Ｐｒｅでスイッチングトランジスタ６１０をＯＦＦする。
３）ＧＷＲＴでトランジスタ２３２、２３３をＯＮする。
４）データを書き込む（ドライバＩＣで電流を引く）。
５）ＧＷＲＴでトランジスタ２３２、２３３をＯＦＦする。
６）データの書き込みを終了する。
７）ＧＥＬでトランジスタ２３４をＯＮすることでトランジスタ２３１，２３４を介してＯＬＥＤ素子２２０に電流を流しこれを発光させる。
【００２９】
一方、図４は電圧プログラム方式の回路図を示し、１本のデータ線Ｘｍに関し１個の画素回路２１０を抽出して本形態に係るプリチャージ回路７００とともに示している。また、図５はその動作を説明するための各部の波形図である。両図に基づき当該回路の動作を簡単に説明しておく。
【００３０】
１）Ｐｒｅでスイッチングトランジスタ６１０をＯＮするとともに、ＧＰＲＥ及びＧＩＮＩＴでトランジスタ２４２、２４３をＯＮしてｐｃｈのトランジスタ２４１のゲートにレギュレータ７１０で調整したプリチャージ電圧Ｖｐｒを印加する。
２）Ｐｒｅで前記スイッチングトランジスタ６１０をＯＦＦするとともに、ＧＰＲＥでトランジスタ２４３をＯＦＦする。
３）ＧＥＬでトランジスタ２４５をＯＮしてトランジスタ２４１のゲート電位の閾値電圧Ｖｔｈの補償を行う。
４）ＧＷＲＴでトランジスタ２４４をＯＮする。
５）データを書き込む（ドライバＩＣで電圧を印加する）。
６）ＧＷＲＴでトランジスタ２４４をＯＦＦする。
７）データの書き込みを終了する。
８）ＧＥＬでトランジスタ２４５をＯＮすることでトランジスタ２４１，２４５を介してＯＬＥＤ素子２２０に電流を流しこれを発光させる。
【００３１】
図２及び図４にも示した通り、前記レギュレータ７１０は、画素電源電圧Ｖｅｌを参照して適切なプリチャージ電圧Ｖｐｒに調整する機能を有する。この機能を発揮させるための具体的な構成は種々考えられるが、好適な２つの実施例に基づきレギュレータ７１０の具体的な構成を説明しておく。
【００３２】
＜第１の実施例＞
図６は本実施例に係るレギュレータ部分を示す回路図である。同図は１本のデータ線Ｘｍに関して（他のデータ線Ｘ１乃至ＸＭに関する構成も同様である。）示しており、図１と同一部分には同一番号を付している。同図に示すように、当該レギュレータ７１０はコンパレータ７３１、トランジスタ７３２，７３３及び抵抗Ｒ１，Ｒ２，Ｒ３，Ｒ４，Ｒ０を有している。コンパレータ７３１はその反転入力端子に抵抗Ｒ１，Ｒ２で分割した画素電源電圧Ｖｅｌを、またその非反転入力端子に抵抗Ｒ３，Ｒ４で分割した調整後のプリチャージ電圧Ｖｐｒをそれぞれ入力するようになっている。したがって、Ｖｐｒ＞Ｖｅｌのときトランジスタ７３３がＯＮになり、プリチャージ電源７２０とデータ線Ｘｍとの間に接続したトランジスタ７３２をＯＦＦする。このように、プリチャージ電圧Ｖｐｒと画素電源電圧Ｖｅｌとの大小関係でプリチャージ電源７２０の出力電圧であるプリチャージ電圧Ｖｐが調整され次式で表される最適化されたプリチャージ電圧Ｖｐｒとなる。
【００３３】
Ｖｐｒ＝（Ｒ３＋Ｒ４／Ｒ４）・（Ｒ２／Ｒ１＋Ｒ２）・Ｖｅｌ
かくして、プリチャージ電圧Ｖｐを画素電源電圧Ｖｅｌに追従して最適化することができる。
【００３４】
例えば、Ｖｅｌ＝１１．５〔Ｖ〕、画素回路２１０のトランジスタ２３１，２４１（図２及び図４参照）の閾値電圧Ｖｔｈ＝−１．５〔Ｖ〕、Ｒ１＝２０００〔Ω〕、Ｒ３＝１７１６〔Ω〕、Ｒ２＝Ｒ４＝１８０〔Ω〕としたとき、画素電源電圧Ｖｅｌの変動に伴う理想的なプリチャージ電圧Ｖｐの特性が図７に実線で示す特性であるのに対し、本実施例による最適化後のプリチャージ電圧Ｖｐｒの特性が図７に点線で示す特性になる。同図を参照すれば、本実施例による最適化の結果、画素電源電圧Ｖｅｌの変動に伴う理想的なプリチャージ電圧Ｖｐの特性に良好に追従していることが分かる。
【００３５】
さらに、プリチャージ電圧Ｖｐ（＝Ｖｅｌ＋Ｖｔｈ）＝１０〔Ｖ〕に固定した場合と、上記と同様に最適化を図った場合とにおける最適プリチャージ電圧との差は、前者が図８に実線で示す特性であるのに対し、後者は図８に点線で示す特性となる。同図を参照すれば、本実施例による最適化の結果、プリチャージ電圧Ｖｐを固定した場合（従来）に較べ最適プリチャージ電圧との差を１／５に抑制することができ、著しい改善効果を得ていることが分かる。
【００３６】
＜第２の実施例＞
図９は本実施例に係るレギュレータ部分を示す回路図である。同図は２本のデータ線Ｘｍ−１、Ｘｍに関して示している（他のデータ線Ｘ１乃至ＸＭに関する構成も同様である。）。同図に示すように、本実施例におけるレギュレータ７１０は、画素回路２１０のトランジスタ２３１，２４１（図２及び図４参照）と同特性のトランジスタ（ＴＦＴ）７４２をダイオード接続し、このようにダイオード接続したトランジスタ７４２で降下させた画素電源電圧Ｖｅｌを参照するようにしたものである。コンパレータ７４０では、画素電源電圧Ｖｅｌに閾値電圧Ｖｔｈ（ｐｃｈの場合は−の値）を加えた値、すなわち最適化したプリチャージ電圧を反転入力端子に入力するとともに、当該レギュレータ７１０の出力電圧である調整後のプリチャージ電圧Ｖｐｒを非反転入力端子に入力して両者を比較するようになっている。その他の構成は図６に示す第１の実施例と同一である。そこで、図６と同一部分には同一番号を付し重複する説明は省略する。
【００３７】
上述の如く、本実施例に係るレギュレータ７１０におけるコンパレータ７４１の反転入力端子には常に最適プリチャージ電圧が入力され、前記最適プリチャージ電圧と調整後のプリチャージ電圧Ｖｐｒとを比較した両者の差が零になるように制御しているので、画素電源電圧Ｖｅｌの変動に理想的に追従するプリチャージ電圧Ｖｐｒに調整することができる。すなわち、第１の実施例よりもより適切なプリチャージ電圧とすることができる。
【００３８】
＜他の実施例＞
レギュレータ７１０は、画素電源電圧Ｖｅｌを参照して適切なプリチャージ電圧Ｖｐｒに調整する機能を有するものであれば良いので、もちろん上記実施例に限定されるものではない。原理的な点だけに着目すれば、例えば画素電源電圧Ｖｅｌに対応する最適プリチャージ電圧の値に関するデータ又は画素電源電圧Ｖｅｌとプリチャージ電圧Ｖｐとの差に対応する最適プリチャージ電圧の値に関するデータをマップデータとして記憶しておき、このマップデータから前記画素電源電圧Ｖｅｌ乃至差に応じた最適プリチャージ電圧を選択してこのプリチャージ電圧Ｖｐｒの値になるように制御するものが考えられる。ここで、画素電源電圧Ｖｅｌとプリチャージ電圧Ｖｐとの差は両者の検出値に基づき直接演算で求めることも可能である。さらに、最終的なプリチャージ電圧Ｖｐの調整はプリチャージ電源７２０の出力電圧を直接制御するようにしても良いし、データ線Ｘｍに可変抵抗を挿入してこの可変抵抗の抵抗値を制御することによっても実現できる。
【００３９】
上記実施の形態は画素電源が一系統の場合（画素電源電圧Ｖｅｌが一種類の場合）であるが、画素電源が複数の発光色毎に、例えば三系統が独立に設けられている場合には、系統毎にレギュレータ７１０を設ける。このことにより各画像電源電圧Ｖｅｌの変動に追従して発光色毎に適正なプリチャージ電圧Ｖｐとすることができる。
【００４０】
さらに、上記プリチャージ回路７００は、データ線ドライバ４００を構成する単一ラインドライバのＤＡＣにおける基準電圧の生成にも適用することができる。
【００４１】
＜応用例＞
次に、上述した実施の形態に係る電気光学装置Ｉを適用した電子機器について説明する。図１０に、電気光学装置Ｉを適用したモバイル型のパーソナルコンピュータの構成を示す。パーソナルコンピュータ２０００は、表示ユニットとしての電気光学装置Ｉと本体部２０１０を備える。本体部２０１０には、電源スイッチ２００１及びキーボード２００２が設けられている。この電気光学装置はＯＬＥＤ素子４２０を用いるので、視野角が広く見易い画面を表示できる。
【００４２】
図１１に、電気光学装置Ｉを適用した携帯電話機の構成を示す。携帯電話機３０００は、複数の操作ボタン３００１及びスクロールボタン３００２、並びに表示ユニットとしての電気光学装置Ｉを備える。スクロールボタン３００２を操作することによって、電気光学装置Ｉに表示される画面がスクロールされる。
【００４３】
図１２に、電気光学装置Ｉを適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置Ｉを備える。電源スイッチ４００２を操作すると、住所録やスケジュール帳といった各種の情報が電気光学装置Ｉに表示される。
【００４４】
なお、電気光学装置Ｉが適用される電子機器としては、図１０乃至図１２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置が適用可能である。また、電気光学素子を光源として利用するプリンタ等にも有効に応用することができる。
【図面の簡単な説明】
【００４５】
【図１】本発明の実施の形態に係る電気光学装置の表示マトリクス部及びその近傍部分の内部構造を示すブロック図。
【図２】図１の画素回路を電流プログラム方式で形成した場合の回路図。
【図３】図２の時系列的な動作を示す波形図。
【図４】図１の画素回路を電圧プログラム方式で形成した場合の回路図。
【図５】図４の時系列的な動作を示す波形図。
【図６】図１のレギュレータ部分の具体的な構成の一実施例を示す回路図。
【図７】理想的なプリチャージ電圧特性と図６に示すレギュレータにより調整したプリチャージ電圧特性とを両者の比較において示す特性図。
【図８】図６に示すレギュレータによりプリチャージ電圧を調整した場合と、プリチャージ電圧を固定した場合との最適プリチャージ電圧に対する差を比較した特性図。
【図９】図１のレギュレータ部分の具体的な構成の他の実施例を示す回路図。
【図１０】電気光学装置を適用したモバイル型のパーソナルコンピュータを示す斜視図。
【図１１】電気光学装置を適用した携帯電話機の構成を示す斜視図。
【図１２】電気光学装置を適用した携帯情報端末の構成を示す斜視図。
【図１３】従来技術に係る電気光学装置の概略構成を示すブロック図。
【図１４】図１３の表示マトリクス部及びその近傍部分の内部構造を示すブロック図。
【符号の説明】
【００４６】
Ｖｅｌ          画素電源電圧
Ｖｐ  、Ｖｐｒ  プリチャージ電圧  
Ｖｔｈ          閾値電圧
Ｘm            データ線
２００          表示マトリクス部
２１０          画素回路
２２０          ＯＬＥＤ素子
７００          プリチャージ回路
７１０          レギュレータ
７２０          プリチャージ電源
７３１，７４１  コンパレータ
７４２          トランジスタ
【図１】
2007047633.tif 000003
【図２】
2007047633.tif 000004
【図３】
2007047633.tif 000005
【図４】
2007047633.tif 000006
【図５】
2007047633.tif 000007
【図６】
2007047633.tif 000008
【図７】
2007047633.tif 000009
【図８】
2007047633.tif 000010
【図９】
2007047633.tif 000011
【図１０】
2007047633.tif 000012
【図１１】
2007047633.tif 000013
【図１２】
2007047633.tif 000014
【図１３】
2007047633.tif 000015
【図１４】
2007047633.tif 000016